(57)【要約】      （修正有）【課題】便器に対する立ち位置の悪さによって、排尿終了時に便器外に尿を垂れ落とすことを防止するトイレマットを提供する。【解決手段】ベースマット２上に、該ベースマットから高く段差を生じさせて左右一対の足載せ部４、４を設けている。足載せ部４、４の位置が便器６に対して適正となる様に、ベースマット２の位置を決めておくと、人間の心理として、足載せ部４、４に足(靴等の履物を含む)を載せる。足が足載せ部４、４からはみ出した場合は、足裏が足載せ部４の段差に掛かって、不安定な体勢となるから、足載せ部４に足裏が安定して載る様に立ち位置を変えざるを得ない。これによって、排尿の終わり際に、便器外に尿を零すことを防止できる。【選択図】図１
0003147071.tif 000002
【実用新案登録請求の範囲】
【請求項１】
ベースマット(２)上に、該ベースマットから高く段差を生じさせて左右一対の足載せ部(４)(４)を設けた、トイレマット。
【請求項２】
足載せ部(４)は、ベースマット(２)から１〜２.５cmの段差がある、請求項１に記載のトイレマット。
【請求項３】
足載せ部(４)の載せ面(41)は、長さ約３０〜３５cm、幅長さ約１２〜１６cmである、請求項１又は２に記載のトイレマット。
【請求項４】
ベースマット(２)は、左右一対の小マット(３)(３)からなり、夫々の小マット(３)に片足が載る足載せ部(４)を設けている、請求項１乃至３の何れかに記載のトイレマット。
【請求項５】
小マット(３)(３)は、連結部材(５)によって間隔調整可能に繋がっている、請求項４に記載のトイレマット。
【請求項６】
小マット(３)(３)には規則的に多数の孔(31)(31)が開設され、連結部材(５)に開設した孔(51)と小マット(３)の所望の孔(31)を一致させて着脱可能にピン止めして、小マット(３)(３)が連結されている、請求項５に記載のトイレマット。
【請求項７】
足載せ部(４)はトイレマット(１)上に島状に形成されて、足載せ部(４)の輪郭の外側は全体に低くなっている、請求項１乃至６の何れかに記載のトイレマット。
【考案の詳細な説明】
【技術分野】
【０００１】
本考案は、トイレの床面に敷いて使用するマットに関する。
【背景技術】
【０００２】
男性が小用にトイレを使用したとき、便器の手前に尿を零してトイレの床面を汚すことが多々ある。零した尿を受けるためのマットも種々提案されている。
【考案の開示】
【考案が解決しようとする課題】
【０００３】
しかし、従来のこの種マットには、尿を零させない様にする工夫がない。
尿を便器から零すのは、殆んどの場合、排尿の終了際である。これは、使用者の便器に対する立ち位置が適正位置より後側であることによる。
出願人は、便器に対する適正な立ち位置を示し、且つ適正な立ち位置に足を載せないと、立ち姿勢が不安定となる様なトイレマットを明らかにし、上記尿零しの問題を解決するものである。
【課題を解決するための手段】
【０００４】
請求項１のトイレマットは、ベースマット(２)上に、該ベースマットから高く段差を生じさせて左右一対の足載せ部(４)(４)を設けている。
【０００５】
請求項２は、請求項１に記載のトイレマットにおいて、足載せ部(４)はベースマット(２)から１〜２.５cmの段差がある。
【０００６】
請求項３は請求項１又は２に記載のトイレマットにおいて、足載せ部(４)は、長さ約３０〜３３cm、幅長さ約１２〜１４cmの載せ面(41)を有している。
【０００７】
請求項４は、請求項１乃至３の何れかに記載のトイレマットにおいて、ベースマット(２)は、左右一対の小マット(３)(３)からなり、夫々の小マット(３)に片足が載る足載せ部(４)を設けている。
【０００８】
請求項５は、請求項４に記載のトイレマットにおいて、小マット(３)(３)は、連結部材(５)によって間隔調整可能に繋がっている。
【０００９】
請求項６は、請求項５に記載のトイレマットにおいて、小マット(３)(３)には規則的に多数の孔(31)(31)が開設され、連結部材(５)に開設した孔(51)と小マット(３)の所望の孔(31)を一致させてピン止めして、小マット(３)(３)が連結されている。
【００１０】
請求項７は、請求項１乃至６に記載のトイレマットにいおて、足載せ部(４)はトイレマット(１)上に島状に形成されて、足載せ部(４)の輪郭の外側は全体に低くなっている。
【考案の効果】
【００１１】
請求項１のトイレマットは、足載せ部(４)(４)の位置が、便器(６)に対して適正となる様に、ベースマット(２)の位置を決めてトイレ床面に敷く。人間の心理しとして、足載せ部(４)(４)に足(靴等の履物を含む)を載せるのが普通である。
しかし、足が足載せ部(４)(４)からはみ出す場合もあり、この場合、足裏が足載せ部(４)の段差に掛かって、不安定な体勢となり、用を足し難い。従って、足載せ部(４)に足裏が安定して載る様に立ち位置を変えざるを得ない。これによって、排尿の終了際に、便器外に尿が垂れ落ちる(零す)ことを防止できる。
【００１２】
請求項２のトイレマットでは、足載せ部(４)のベースマット(２)に対する段差は、１〜２.５cmであるから、足が足載せ部(４)(４)からはみ出した状態では、体勢が不安定にはなるが、危険を伴う程の段差ではない。
【００１３】
請求項３のトイレマットの足載せ部(４)の載せ面(41)の大きさでは、靴を履いていても、載せ面(41)からはみ出さずに立つことができる。
【００１４】
請求項４のトイレマットでは、ベースマット(２)は、２つの小マット(３)(３)からなるから、大きな１枚もののベースマットに較べて、洗浄や持ち運びの際に便利である。
又、使用者の体形、立ち癖等により、各足載せ部(４)(４)の間隔や位置を任意に決めることができるので、使いやすい。
【００１５】
請求項５のトイレマットは、足載せ部(４)(４)の位置決めの自由度は請求項４に近いものがあり、更に、小マット(３)(３)間の間隔を決めると、連接部材(５)によって、小マット(３)(３)の間隔が開くことはない。
【００１６】
請求項６のトイレマットは、連結部材(５)に開設した孔(51)と小マット(３)の所望の孔(31)を一致させてピン止めして、小マット(３)(３)の間隔、即ち、足載せ部(４)(４)の間隔調整が簡単にできる。
【００１７】
請求項７のトイレマットは、足載せ部(４)はトイレマット(１)上に島状に形成されているから、即ち、足載せ部(４)の輪郭の外側は全体に低くなっているから、足裏が、足載せ部(４)の左側或いは左側にはみ出して立っても、使用者の姿勢は不安定となる。使用者は、足載せ部(４)に足裏が安定して載る様に立ち位置を変えざるを得ない。これによって、便器(６)の左側或いは右側に尿を零すことを防止できる。
【考案を実施するための最良の形態】
【００１８】
図１は、便器(６)に対向して、トイレの床にトイレマット(１)を敷いた状態を示している。
トイレマット(１)は、ベースマット(２)上に、該ベースマットから高く段差を生じさせて左右一対の足載せ部(４)(４)を設けている。
足載せ部(４)(４)は左右対称であり、全周に亘って周囲より高くなった島状に形成されている。
【００１９】
実施例のベースマット(２)は、間隔を存して略平行に配備した左右一対の小マット(３)(３)からなり、夫々の小マット(３)に片足が載る足載せ部(４)を設けている。
小マット(３)(３)の互いの内側縁の便器側コーナには、カット部(32)が設けられ、便器(６)に邪魔されずに、小マット(３)(３)の位置決めが可能となっている。
【００２０】
小マット(３)及び足載せ部(４)は、合成ゴム又は合成樹脂にて形成され、耐水性、耐尿性に優れ、床面に対して滑り難い特性を有している。
小マット(３)の厚みは０.３cm乃至０.６cm程度である。
小マット(３)には、表裏に貫通する孔(31)が縦横に規則的に開設された孔群を有しているいる。
【００２１】
前記足載せ部(４)の上面が載せ面(41)となっており、載せ面(41)は便器(６)の正面側に向かう方向に長い略楕円状を呈している。
載せ面(41)には滑止めの凹凸を施してもよいが、実施例では全体に均一高さの平坦面である。
載せ面(41)は、靴裏がはみ出さない程度に余裕をもって載る大きさであればよい。実施例では足載せ部(４)は、長さ３０〜３５cm、幅長さ１２〜１６cmである。
【００２２】
足載せ部(４)の小マット(３)に対する段差ｈは、図３に示す如く、足裏(靴裏)が足載せ部(４)からはみ出した状態で、足裏が安定せず、且つ危険のない高さ、実施例では１.５cm乃至２cmであるが、１cm乃至２.５cmの範囲の高さでも良好に使用できる。
実施例では、足載せ部(４)にも小マット(３)の前記孔群に連通する孔群が開設されている。
【００２３】
上記一対の小マット(３)(３)は、帯状の連結部材(５)によって間隔調整可能に繋がっている。
連結部材(５)は両端側に孔(51)(51)が開設され、該孔(51)(51)と前記小マット(３)(３)の孔群の内、所望の孔(31)(31)を一致させて、ピン(52)で着脱可能に止めている。
【００２４】
然して、便器(６)の前側に上記一対の小マット(３)(３)を敷く。このとき、小マット(３)(３)上の足載せ部(４)(４)の位置が、便器使用者の最適な立ち位置に対応する様に、小マット(３)(３)の位置を決める。
便器(６)に対する最適な立ち位置とは、使用者が排尿終了際になっても、尿が便器外に垂れ落ちない立ち位置である。
【００２５】
実施例の小マット(３)(３)は、連結部材(５)の止め位置によって、小マット(３)(３)間の間隔を調節できるから、立ち位置の足の間隔を自由に決めることができる。
【００２６】
使用者が便器(６)に向い、足載せ部(４)(４)に足(靴等の履物を含む)(７)を載せて立ったとき、足裏(靴裏)(71)が足載せ部(４)の踵側からはみ出していると、図３に示す如く、足裏(靴裏)が足載せ部(４)の段差に掛かって、使用者の体勢は不安定となる。使用者は、足載せ部(４)に足裏が安定して載る様に、少し便器(６)側に寄る様に立ち位置を変えざるを得ない。これによって、使用者は、便器(６)から離れ過ぎない、正しい立ち位置となり、排尿の終了際に、便器外に尿が垂れ落ちることを防止できる。
【００２７】
便器(６)に対する立ち位置が、右側或いは左側に寄り過ぎても、便器(６)の側方に尿を零す虞れがある。
実施例の足載せ部(４)は、小マット(３)(３)上に島状に形成されているから、即ち、足載せ部(４)の輪郭の外側は全体に低くなっているから、足裏が、足載せ部(４)の左側或いは左側にはみ出して立っても、使用者の姿勢は不安定となる。使用者は、足載せ部(４)に足裏が安定して載る様に立ち位置を変えざるを得ない。これによって、便器(６)の左側或いは右側に尿を零すことを防止できる。
【００２８】
足載せ部(４)の小マット(３)に対する段差は、１〜２.５cmであるから、足裏(71)が足載せ部(４)(４)からはみ出した際には、体勢が不安定にはなるが、危険を伴う程の段差ではない。
足載せ部(４)の載せ面(41)は、靴を履いていても、載せ面(41)からはみ出さずに立つことができる大きさであるから、立ち姿勢が一層安定する。
【００２９】
上記の様に、２つの小マット(３)(３)からなるベースマット(２)は、大きな１枚もののベースマットに較べて、洗浄や持ち運び便利である。
又、使用者の体形、立ち癖等により、各足載せ部(４)(４)の間隔や位置を任意に決めることができるという、１枚もののベースマットでは奏し得ない効果を有する。
【００３０】
小マット(３)(３)間の間隔を決めると、連接部材(５)によって、小マット(３)(３)の間隔が開くことを防止できる。必要に応じて、連結部材(５)の本数を増やしたり、連結部材(５)の幅を広くすることもできる。
【００３１】
実施例の様に、一対の小マット(３)(３)の間を開けておくと、万一、排尿の終了際で尿が便器外に垂れ落ちても、直接に小マット(３)(３)に掛かることを防止できる。又、靴裏(71)を尿で汚すこともない。
【００３２】
尚、本考案のトイレマット(１)は、不特定多数の人が使用するトイレにも、家庭のトイレにも実施できるのは勿論である。小マット(３)(３)の位置決めによる効果は、使用者の限られる家庭用の方が実感できる。
【００３３】
上記説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００３４】
【図１】便器の前に本考案のトイレマットを敷いた状態の斜視図である。
【図２】同上の平面図である。
【図３】足裏(靴裏)が足載せ部からはみ出した状態の説明図である。
【符号の説明】
【００３５】
１  トイレマット
２  ベースマット
３  小マット
４  足載せ部
５  連結部材
【図１】
0003147071.tif 000003
【図２】
0003147071.tif 000004
【図３】
0003147071.tif 000005